(57)【特許請求の範囲】
【請求項１】
原稿を読み取って画像データを出力する読み取り部と、
出力された画像データに含まれる文字列を認識する文字認識部と、
認識した文字列からキーワードを決定する決定部と、
決定したキーワードに基づいて情報を選択する選択部と、
前記画像データに基づく画像および選択した情報に基づく画像をプリントするプリント部と、を有する複写機であって、
さらに、当該複写機の設置位置、当該複写機に設定されている動作条件または現在時刻を含む補足情報のなかから少なくとも一つの補足情報を抽出する抽出部と、
複数の情報をキーワードおよび少なくとも一つの補足情報と関連付けて記憶する第３記憶部と、有し、
前記選択部は、決定したキーワードおよび抽出した補足情報に基づいて、前記第３記憶部から、キーワードおよび補足情報が合致する情報を呼び出す複写機。
【請求項２】
原稿を読み取って画像データを出力する読み取り部と、
出力された画像データに含まれる文字列を認識する文字認識部と、
認識した文字列からキーワードを決定する決定部と、
決定したキーワードに基づいて情報を選択する選択部と、
前記画像データに基づく画像および選択した情報に基づく画像をプリントするプリント部と、を有する複写機であって、
さらに、キーワードに関連しない特定情報を記憶する第４記憶部を有し、
前記選択部は、キーワードが決定されなかった場合に、前記第４記憶部から、特定情報を呼び出す複写機。
【請求項３】
前記情報は、広告に関する情報である請求項１または請求項２に記載の複写機。
【請求項４】
複数のキーワードを記憶する第１記憶部をさらに有し、
前記決定部は、認識した文字列および前記第１記憶部に記憶された複数のキーワードに基づいて、キーワードを決定する請求項１または請求項２に記載の複写機。
【請求項５】
複数の情報をキーワードと関連付けて記憶する第２記憶部をさらに有し、
前記選択部は、決定したキーワードに基づいて、前記第２記憶部から、キーワードが合致する情報を呼び出す請求項１または請求項２に記載の複写機。
【請求項６】
情報に含まれる識別符号に関するデータが前記画像データに含まれているか否かを識別する識別部と、
決定したキーワードに基づいて選択した情報に含まれる識別符号と、前記画像データに含まれている情報に含まれる識別符号とが異なるか否かを判定する判定部と、
選択した情報に含まれる識別符号と前記画像データに含まれている情報に含まれる識別符号とが異なる場合に、前記画像データに含まれている情報を選択した情報に差し替えた新たな画像を作成する作成部と、をさらに有し、
前記プリント部は、作成した新たな画像をプリントする請求項１または請求項２に記載の複写機。
【請求項７】
文字認識部は、原稿の一部分に相当する画像データに含まれる文字列を認識する請求項１または請求項２に記載の複写機。
【請求項８】
前記プリント部は、選択した情報に基づく画像を、前記画像データに基づく画像をプリントする用紙の裏面または前記画像データに基づく画像をプリントする用紙とは異なる用紙にプリントする請求項１または請求項２に記載の複写機。
【請求項９】
選択した情報と前記画像データとを合成する合成部をさらに有し、
前記プリント部は、合成した画像をプリントする請求項１または請求項２に記載の複写機。
【請求項１０】
前記合成部は、前記画像データに基づく画像をプリントした際に生じる余白部分に選択した情報に基づく画像がプリントされるように、選択した情報と前記画像データとを合成する請求項９に記載の複写機。
【請求項１１】
複写機と、当該複写機に接続される情報処理装置とを有する複写システムにおいて、
前記複写機は、
原稿を読み取って画像データを出力する読み取り部と、
出力された画像データに含まれる文字列を認識する文字認識部と、
認識した文字列からキーワードを決定する決定部と、
プリント部と、を含み、
前記情報処理装置は、
前記決定部が決定したキーワードに基づいて情報を選択する選択部、を含み、
前記複写機のプリント部は、前記画像データに基づく画像および前記情報処理装置が選択した情報に基づく画像をプリントする複写システムであって、
前記情報処理装置はさらに、前記複写機の設置位置、前記複写機に設定されている動作条件または現在時刻を含む補足情報のなかから少なくとも一つの補足情報を抽出する抽出部と、
複数の情報をキーワードおよび少なくとも一つの補足情報と関連付けて記憶する第３記憶部と、有し、
前記選択部は、決定したキーワードおよび抽出した補足情報に基づいて、前記第３記憶部から、キーワードおよび補足情報が合致する情報を呼び出す複写システム。
【請求項１２】
複写機と、当該複写機に接続される情報処理装置とを有する複写システムにおいて、
前記複写機は、
原稿を読み取って画像データを出力する読み取り部と、
出力された画像データに含まれる文字列を認識する文字認識部と、
認識した文字列からキーワードを決定する決定部と、
プリント部と、を含み、
前記情報処理装置は、
前記決定部が決定したキーワードに基づいて情報を選択する選択部、を含み、
前記複写機のプリント部は、前記画像データに基づく画像および前記情報処理装置が選択した情報に基づく画像をプリントする複写システムであって、
前記情報処理装置はさらに、キーワードに関連しない特定情報を記憶する第４記憶部を有し、
前記選択部は、キーワードが決定されなかった場合に、前記第４記憶部から、特定情報を呼び出す複写システム。
【請求項１３】
複写機と、当該複写機に接続される情報処理装置とを有する複写システムにおいて、
前記複写機は、
原稿を読み取って画像データを出力する読み取り部と、
プリント部と、を含み、
前記情報処理装置は、
前記読み取り部から出力された画像データに含まれる文字列を認識する文字認識部と、
認識した文字列からキーワードを決定する決定部と、
決定したキーワードに基づいて情報を選択する選択部と、を含み、
前記複写機のプリント部は、前記画像データに基づく画像および前記情報処理装置が選択した情報に基づく画像をプリントする複写システムであって、
前記情報処理装置はさらに、前記複写機の設置位置、前記複写機に設定されている動作条件または現在時刻を含む補足情報のなかから少なくとも一つの補足情報を抽出する抽出部と、
複数の情報をキーワードおよび少なくとも一つの補足情報と関連付けて記憶する第３記憶部と、有し、
前記選択部は、決定したキーワードおよび抽出した補足情報に基づいて、前記第３記憶部から、キーワードおよび補足情報が合致する情報を呼び出す複写システム。
【請求項１４】
複写機と、当該複写機に接続される情報処理装置とを有する複写システムにおいて、
前記複写機は、
原稿を読み取って画像データを出力する読み取り部と、
プリント部と、を含み、
前記情報処理装置は、
前記読み取り部から出力された画像データに含まれる文字列を認識する文字認識部と、
認識した文字列からキーワードを決定する決定部と、
決定したキーワードに基づいて情報を選択する選択部と、を含み、
前記複写機のプリント部は、前記画像データに基づく画像および前記情報処理装置が選択した情報に基づく画像をプリントする複写システムであって、
前記情報処理装置はさらに、キーワードに関連しない特定情報を記憶する第４記憶部を有し、
前記選択部は、キーワードが決定されなかった場合に、前記第４記憶部から、特定情報を呼び出す複写システム。
【請求項１５】
複写機と情報処理装置とは、ネットワークを介して接続され、または、ローカル接続されてなる請求項１１〜請求項１４のいずれか１つに記載の複写システム。
【請求項１６】
原稿を読み取って画像データを出力するステップと、
出力された画像データに含まれる文字列を認識するステップと、
認識した文字列からキーワードを決定するステップと、
決定したキーワードに基づいて情報を選択するステップと、
前記画像データに基づく画像および選択した情報に基づく画像をプリントするステップと、を有する複写処理方法であって、
さらに、前記選択するステップよりも前に、複写機の設置位置、複写機に設定されている動作条件または現在時刻を含む補足情報のなかから少なくとも一つの補足情報を抽出するステップを有し、
前記選択するステップは、複数の情報をキーワードおよび少なくとも一つの補足情報と関連付けて記憶したなかから、決定したキーワードおよび抽出した補足情報に基づいて、キーワードおよび補足情報が合致する情報を呼び出して選択する複写処理方法。
【請求項１７】
原稿を読み取って画像データを出力するステップと、
出力された画像データに含まれる文字列を認識するステップと、
認識した文字列からキーワードを決定するステップと、
決定したキーワードに基づいて情報を選択するステップと、
前記画像データに基づく画像および選択した情報に基づく画像をプリントするステップと、を有する複写処理方法であって、
前記選択するステップは、キーワードが決定されなかった場合に、キーワードに関連しない特定情報を記憶したなかから、特定情報を呼び出して選択する複写処理方法。
【請求項１８】
原稿を複写する際に情報を付加する複写処理プログラムにおいて、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムであって、
さらに、前記選択する手順よりも前に、複写機の設置位置、複写機に設定されている動作条件または現在時刻を含む補足情報のなかから少なくとも一つの補足情報を抽出する手順を有し、
前記選択する手順は、複数の情報をキーワードおよび少なくとも一つの補足情報と関連付けて記憶したなかから、決定したキーワードおよび抽出した補足情報に基づいて、キーワードおよび補足情報が合致する情報を呼び出して選択する複写処理プログラム。
【請求項１９】
原稿を複写する際に情報を付加する複写処理プログラムにおいて、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムであって、
前記選択する手順は、キーワードが決定されなかった場合に、キーワードに関連しない特定情報を記憶したなかから、特定情報を呼び出して選択する複写処理プログラム。
【請求項２０】
原稿を複写する際に情報を付加する複写処理プログラムを記録したコンピュータ読取り可能な記録媒体において、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムを記録したコンピュータ読取り可能な記録媒体であって、
さらに、前記選択する手順よりも前に、複写機の設置位置、複写機に設定されている動作条件または現在時刻を含む補足情報のなかから少なくとも一つの補足情報を抽出する手順を有し、
前記選択する手順は、複数の情報をキーワードおよび少なくとも一つの補足情報と関連付けて記憶したなかから、決定したキーワードおよび抽出した補足情報に基づいて、キーワードおよび補足情報が合致する情報を呼び出して選択する複写処理プログラムを記録したコンピュータ読取り可能な記録媒体。
【請求項２１】
原稿を複写する際に情報を付加する複写処理プログラムを記録したコンピュータ読取り可能な記録媒体において、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムを記録したコンピュータ読取り可能な記録媒体であって、
前記選択する手順は、キーワードが決定されなかった場合に、キーワードに関連しない特定情報を記憶したなかから、特定情報を呼び出して選択する複写処理プログラムを記録したコンピュータ読取り可能な記録媒体。
【発明の詳細な説明】
【０００１】
【発明の属する技術分野】
本発明は、原稿の複写を行う際に、原稿を読み取って出力される画像データを文字認識し、原稿の記載内容に合致した情報を付加する複写処理技術に関する。
【０００２】
【従来の技術および発明が解決しようとする課題】
従来、特開平１０−３２０１４５号公報、特開平１１−２４９８６１号公報および特開２０００−５９５５４号公報に開示されているように、例えば広告などの所定の情報に基づく画像を画像データに基づく画像などに付加してプリントする装置、例えば、複写機が知られている。
【０００３】
付加すべき広告がユーザの要望に合致したものでない場合には、ユーザにとっては、付加された広告の価値が少ない。広告主にとっても、十分な広告効果を得ることができない。付加すべき情報をユーザ自身に選択させることも考えられるが、複写の際の操作が煩雑になることから、広告を付加するコピーモードが選択されなくなる虞がある。このため、ユーザの要望に合致した適切な広告などの情報を自動的に付加できれば、ユーザおよび広告主の双方にとって、大きな利点となる。
【０００４】
しかしながら、従来技術には、ユーザの要望に合致した適切な情報を自動的に付加する点を十分に考慮したものはない。
【０００５】
そこで、本発明は、ユーザの要望に合致した適切な情報を自動的に付加することにより、ユーザおよび情報提供者の双方に大きな利点を与え得る複写処理技術を提供することにある。
【０００６】
【課題を解決するための手段】
上記目的を達成するための本発明は、各請求項ごとに次のように構成される。
【０００７】
（１）原稿を読み取って画像データを出力する読み取り部と、
出力された画像データに含まれる文字列を認識する文字認識部と、
認識した文字列からキーワードを決定する決定部と、
決定したキーワードに基づいて情報を選択する選択部と、
前記画像データに基づく画像および選択した情報に基づく画像をプリントするプリント部と、を有する複写機であって、
さらに、当該複写機の設置位置、当該複写機に設定されている動作条件または現在時刻を含む補足情報のなかから少なくとも一つの補足情報を抽出する抽出部と、
複数の情報をキーワードおよび少なくとも一つの補足情報と関連付けて記憶する第３記憶部と、有し、
前記選択部は、決定したキーワードおよび抽出した補足情報に基づいて、前記第３記憶部から、キーワードおよび補足情報が合致する情報を呼び出す複写機。
（２）原稿を読み取って画像データを出力する読み取り部と、
出力された画像データに含まれる文字列を認識する文字認識部と、
認識した文字列からキーワードを決定する決定部と、
決定したキーワードに基づいて情報を選択する選択部と、
前記画像データに基づく画像および選択した情報に基づく画像をプリントするプリント部と、を有する複写機であって、
さらに、キーワードに関連しない特定情報を記憶する第４記憶部を有し、
前記選択部は、キーワードが決定されなかった場合に、前記第４記憶部から、特定情報を呼び出す複写機。
【０００８】
（３）前記情報は、広告に関する情報である上記（１）または上記（２）に記載の複写機。
【０００９】
（４）複数のキーワードを記憶する第１記憶部をさらに有し、
前記決定部は、認識した文字列および前記第１記憶部に記憶された複数のキーワードに基づいて、キーワードを決定する上記（１）または上記（２）に記載の複写機。
【００１０】
（５）複数の情報をキーワードと関連付けて記憶する第２記憶部をさらに有し、
前記選択部は、決定したキーワードに基づいて、前記第２記憶部から、キーワードが合致する情報を呼び出す上記（１）または上記（２）に記載の複写機。
【００１４】
（６）情報に含まれる識別符号に関するデータが前記画像データに含まれているか否かを識別する識別部と、
決定したキーワードに基づいて選択した情報に含まれる識別符号と、前記画像データに含まれている情報に含まれる識別符号とが異なるか否かを判定する判定部と、
選択した情報に含まれる識別符号と前記画像データに含まれている情報に含まれる識別符号とが異なる場合に、前記画像データに含まれている情報を選択した情報に差し替えた新たな画像を作成する作成部と、をさらに有し、
前記プリント部は、作成した新たな画像をプリントする上記（１）または上記（２）に記載の複写機。
【００１５】
（７）文字認識部は、原稿の一部分に相当する画像データに含まれる文字列を認識する上記（１）または上記（２）に記載の複写機。
【００１６】
（８）前記プリント部は、選択した情報に基づく画像を、前記画像データに基づく画像をプリントする用紙の裏面または前記画像データに基づく画像をプリントする用紙とは異なる用紙にプリントする上記（１）または上記（２）に記載の複写機。
【００１７】
（９）選択した情報と前記画像データとを合成する合成部をさらに有し、
前記プリント部は、合成した画像をプリントする上記（１）または上記（２）に記載の複写機。
【００１８】
（１０）前記合成部は、前記画像データに基づく画像をプリントした際に生じる余白部分に選択した情報に基づく画像がプリントされるように、選択した情報と前記画像データとを合成する上記（９）に記載の複写機。
【００１９】
（１１）複写機と、当該複写機に接続される情報処理装置とを有する複写システムにおいて、
前記複写機は、
原稿を読み取って画像データを出力する読み取り部と、
出力された画像データに含まれる文字列を認識する文字認識部と、
認識した文字列からキーワードを決定する決定部と、
プリント部と、を含み、
前記情報処理装置は、
前記決定部が決定したキーワードに基づいて情報を選択する選択部、を含み、
前記複写機のプリント部は、前記画像データに基づく画像および前記情報処理装置が選択した情報に基づく画像をプリントする複写システムであって、
前記情報処理装置はさらに、前記複写機の設置位置、前記複写機に設定されている動作条件または現在時刻を含む補足情報のなかから少なくとも一つの補足情報を抽出する抽出部と、
複数の情報をキーワードおよび少なくとも一つの補足情報と関連付けて記憶する第３記憶部と、有し、
前記選択部は、決定したキーワードおよび抽出した補足情報に基づいて、前記第３記憶部から、キーワードおよび補足情報が合致する情報を呼び出す複写システム。
（１２）複写機と、当該複写機に接続される情報処理装置とを有する複写システムにおいて、
前記複写機は、
原稿を読み取って画像データを出力する読み取り部と、
出力された画像データに含まれる文字列を認識する文字認識部と、
認識した文字列からキーワードを決定する決定部と、
プリント部と、を含み、
前記情報処理装置は、
前記決定部が決定したキーワードに基づいて情報を選択する選択部、を含み、
前記複写機のプリント部は、前記画像データに基づく画像および前記情報処理装置が選択した情報に基づく画像をプリントする複写システムであって、
前記情報処理装置はさらに、キーワードに関連しない特定情報を記憶する第４記憶部を有し、
前記選択部は、キーワードが決定されなかった場合に、前記第４記憶部から、特定情報を呼び出す複写システム。
【００２０】
（１３）複写機と、当該複写機に接続される情報処理装置とを有する複写システムにおいて、
前記複写機は、
原稿を読み取って画像データを出力する読み取り部と、
プリント部と、を含み、
前記情報処理装置は、
前記読み取り部から出力された画像データに含まれる文字列を認識する文字認識部と、
認識した文字列からキーワードを決定する決定部と、
決定したキーワードに基づいて情報を選択する選択部と、を含み、
前記複写機のプリント部は、前記画像データに基づく画像および前記情報処理装置が選択した情報に基づく画像をプリントする複写システムであって、
前記情報処理装置はさらに、前記複写機の設置位置、前記複写機に設定されている動作条件または現在時刻を含む補足情報のなかから少なくとも一つの補足情報を抽出する抽出部と、
複数の情報をキーワードおよび少なくとも一つの補足情報と関連付けて記憶する第３記憶部と、有し、
前記選択部は、決定したキーワードおよび抽出した補足情報に基づいて、前記第３記憶部から、キーワードおよび補足情報が合致する情報を呼び出す複写システム。
（１４）複写機と、当該複写機に接続される情報処理装置とを有する複写システムにおいて、
前記複写機は、
原稿を読み取って画像データを出力する読み取り部と、
プリント部と、を含み、
前記情報処理装置は、
前記読み取り部から出力された画像データに含まれる文字列を認識する文字認識部と、
認識した文字列からキーワードを決定する決定部と、
決定したキーワードに基づいて情報を選択する選択部と、を含み、
前記複写機のプリント部は、前記画像データに基づく画像および前記情報処理装置が選択した情報に基づく画像をプリントする複写システムであって、
前記情報処理装置はさらに、キーワードに関連しない特定情報を記憶する第４記憶部を有し、
前記選択部は、キーワードが決定されなかった場合に、前記第４記憶部から、特定情報を呼び出す複写システム。
【００２１】
（１５）複写機と情報処理装置とは、ネットワークを介して接続され、または、ローカル接続されて上記（１１）〜上記（１４）のいずれか１つに記載の複写システム。
【００２２】
（１６）原稿を読み取って画像データを出力するステップと、
出力された画像データに含まれる文字列を認識するステップと、
認識した文字列からキーワードを決定するステップと、
決定したキーワードに基づいて情報を選択するステップと、
前記画像データに基づく画像および選択した情報に基づく画像をプリントするステップと、を有する複写処理方法であって、
さらに、前記選択するステップよりも前に、複写機の設置位置、複写機に設定されている動作条件または現在時刻を含む補足情報のなかから少なくとも一つの補足情報を抽出するステップを有し、
前記選択するステップは、複数の情報をキーワードおよび少なくとも一つの補足情報と関連付けて記憶したなかから、決定したキーワードおよび抽出した補足情報に基づいて、キーワードおよび補足情報が合致する情報を呼び出して選択する複写処理方法。
（１７）原稿を読み取って画像データを出力するステップと、
出力された画像データに含まれる文字列を認識するステップと、
認識した文字列からキーワードを決定するステップと、
決定したキーワードに基づいて情報を選択するステップと、
前記画像データに基づく画像および選択した情報に基づく画像をプリントするステップと、を有する複写処理方法であって、
前記選択するステップは、キーワードが決定されなかった場合に、キーワードに関連しない特定情報を記憶したなかから、特定情報を呼び出して選択する複写処理方法。
【００２３】
（１８）原稿を複写する際に情報を付加する複写処理プログラムにおいて、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムであって、
さらに、前記選択する手順よりも前に、複写機の設置位置、複写機に設定されている動作条件または現在時刻を含む補足情報のなかから少なくとも一つの補足情報を抽出する手順を有し、
前記選択する手順は、複数の情報をキーワードおよび少なくとも一つの補足情報と関連付けて記憶したなかから、決定したキーワードおよび抽出した補足情報に基づいて、キーワードおよび補足情報が合致する情報を呼び出して選択する複写処理プログラム。
（１９）原稿を複写する際に情報を付加する複写処理プログラムにおいて、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムであって、
前記選択する手順は、キーワードが決定されなかった場合に、キーワードに関連しない特定情報を記憶したなかから、特定情報を呼び出して選択する複写処理プログラム。
【００２４】
（２０）原稿を複写する際に情報を付加する複写処理プログラムを記録したコンピュータ読取り可能な記録媒体において、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムを記録したコンピュータ読取り可能な記録媒体であって、
さらに、前記選択する手順よりも前に、複写機の設置位置、複写機に設定されている動作条件または現在時刻を含む補足情報のなかから少なくとも一つの補足情報を抽出する手順を有し、
前記選択する手順は、複数の情報をキーワードおよび少なくとも一つの補足情報と関連付けて記憶したなかから、決定したキーワードおよび抽出した補足情報に基づいて、キーワードおよび補足情報が合致する情報を呼び出して選択する複写処理プログラムを記録したコンピュータ読取り可能な記録媒体。
（２１）原稿を複写する際に情報を付加する複写処理プログラムを記録したコンピュータ読取り可能な記録媒体において、
原稿を読み取って画像データを出力する手順、
出力された画像データに含まれる文字列を認識する手順と、
認識した文字列からキーワードを決定する手順と、
決定したキーワードに基づいて情報を選択する手順と、
前記画像データに基づく画像および選択した情報に基づく画像をプリントする手順と、をコンピュータに実行させるための複写処理プログラムを記録したコンピュータ読取り可能な記録媒体であって、
前記選択する手順は、キーワードが決定されなかった場合に、キーワードに関連しない特定情報を記憶したなかから、特定情報を呼び出して選択する複写処理プログラムを記録したコンピュータ読取り可能な記録媒体。
【００２５】
【発明の実施の形態】
以下、本発明の実施の形態を、図面を参照しつつ説明する。
【００２６】
（第１の実施の形態）
図１は、複写機１０の概略構成を示すブロック図である。
【００２７】
複写機１０は、原稿を読み取って画像データを出力する読み取り部１１と、画像をプリントするプリント部１２と、ユーザがキー操作する操作パネル部１３と、液晶パネルなどからなる表示部１４と、記憶部１５と、複写処理を実行するとともに各部の制御を司る制御部１６と、タイマ１７と、を有する。
【００２８】
読み取り部１１は、自動原稿搬送装置（ＡＤＦ）を備える。ＡＤＦ上に積載された複数枚の原稿は、一枚ずつ、所定の読み取り位置まで搬送される。操作パネル部１３には、コピー枚数などを設定するテンキー、動作の開始を指示するスタートキー、動作の停止を指示するストップキーなどが設けられている。ユーザは、操作パネル部１３を操作し、表示画面やコピーモードを切り替えたり、コピー枚数などを入力したりする。
【００２９】
制御部１６は、読み取り部１１から出力された画像データに含まれる文字列を認識し、認識した文字列からキーワードを決定し、決定したキーワードに基づいて情報を選択する。ここに、情報は、特に限定されないが、広告や、図書館などの公共施設で用いられるお知らせなどである。以下の説明では、広告を例に挙げる。
【００３０】
記憶部１５は、複数のキーワードと、キーワードと関連付けられた複数の広告と、キーワードおよび補足情報と関連付けられた複数の広告と、キーワードに関連しない特定広告と、を記憶する。ここに、補足情報はキーワードに関連しない情報である。具体的には、補足情報は、制御部１６により抽出される情報であって、当該複写機１０の設置位置、当該複写機１０に設定されている動作条件または現在時刻などを含んでいる。
【００３１】
複写機１０は、広告を付加せずに通常の複写処理を実行する通常モードと、広告を付加する複写処理を実行する広告付加モードとを備えている。ユーザに課されるコピー代金は、選択されたモードによって変更され、広告付加モードを選択すると１枚当たりのコピー代金が安く設定される。安くした分のコピー代金は、広告料に相当するので、広告主に課金される。
【００３２】
一般的に、ユーザは、コピー代金が安くなる場合には広告の付加を許容する。しかしながら、ユーザによっては、例えば公文書などをコピーするユーザは、広告の付加を希望しないことも考えられる。したがって、複写機１０は、ユーザが通常モードまたは広告付加モードを選択するための選択手段を有している。この選択手段は、操作パネル部１３に設けたボタンなどから構成される。
【００３３】
上記のようにユーザが予め設定する形態の他に、スタートキーが押下される度に、広告を付加する必要性をユーザに問い合わせる形態でもよい。また、複写機１０の設置場所によっては、情報としてのお知らせを強制的に付加したい場合も考えられる。かかる場合には、通常モードを選択できない制限を加えてもよい。
【００３４】
図２および図３に示すフローチャートを参照して、複写機１０の制御部１６の作用を説明する。
【００３５】
図示する処理は、ユーザが広告付加モードを選択した場合に実行される。読み取り部１１が原稿を読み取って画像データを出力すると、制御部１６は、出力された画像データに含まれる文字列を認識する（Ｓ１０）。制御部１６は、画像データから文字画像を順次切り出し、当該文字画像を認識して文字コードデータに変換する。文字認識は、テキスト領域および表領域に含まれる文字画像を文字認識の対象とする。認識可能な文字には、文字コードデータが割り振られている文字、数字および記号のすべてが含まれ、さらに、ユーザがパターン登録した外字も含まれる。制御部１６はまた、フォント、フォントサイズ、フォントの色および文字修飾を認識する。
【００３６】
制御部１６は、認識した文字列と、記憶部１５に記憶された複数のキーワードとを比較し、認識した文字列からキーワードを決定する（Ｓ１１）。キーワードは、１文字ではなく、例えば、”コンピュータ”や”旅行”など、複数個の文字からなる文字列である。複数個のキーワードが候補にあがった場合には、制御部１６は、出現した頻度が多いか、フォントサイズが大きいか、フォントの色が他のフォントと異なるか、太字や斜体などの文字修飾が加えられているか、などを基準に、ユーザの志向、すなわちユーザが重要な文字列として使用しているか否かを検討し、キーワードを決定する。認識した文字列の中に記憶部１５に記憶されたキーワードが存在しない場合には、当然ながら、キーワードは決定されない。
【００３７】
制御部１６は、キーワードを決定できたか否かを判断する（Ｓ１２）。キーワードを決定できた場合には（Ｓ１２：ＹＥＳ）、処理はステップＳ１３に進み、キーワードを決定できなかった場合には（Ｓ１２：ＮＯ）、処理はステップＳ１７に進む。
【００３８】
複写機１０は、キーワードのみに基づいて広告を選択する第１モード、キーワードおよび補足情報の両者に基づいて広告を選択する第２モードのいずれかが予め設定されている。ユーザが第１モードまたは第２モードを選択できるようにしてもよい。
【００３９】
制御部１６は、第１モードが選択されているか否かを判断する（Ｓ１３）。
【００４０】
第１モードが選択されている場合には（Ｓ１３：ＹＥＳ）、制御部１６は、決定したキーワードに基づいて広告を選択し、記憶部１５から、キーワードが合致する広告を呼び出す（Ｓ１４）。
【００４１】
第２モードが選択されている場合には（Ｓ１３：ＮＯ）、制御部１６は、補足情報として、当該複写機１０が設置されている位置、当該複写機１０に設定されているコピー動作条件、現在時刻などを抽出する（Ｓ１５）。不特定多数のユーザが使用する複写機１０が設置される位置は、例えば、コンビニエンスストアー、学校、駅、図書館、国や地方自治体の施設などである。この設置位置に関するデータは、当該複写機１０の設置時に設定され、記憶部１５に記憶されている。制御部１６は、記憶部１５から、設置位置に関するデータを呼び出す。コピー動作条件は、ユーザが操作パネルを操作して設定するものであり、例えば、カラーコピーモード、モノクロコピーモードなどがある。コピー動作条件に関するデータは、複写を開始する際に、制御部１６が抽出する。そして、制御部１６は、決定したキーワードおよび抽出した補足情報に基づいて広告を選択し、記憶部１５から、キーワードおよび補足情報が合致する広告を呼び出す（Ｓ１６）。
【００４２】
キーワードおよび補足情報の両者に基づいて広告を選択する利点は次のとおりである。キーワードが例えば”レストラン”と決定された場合に、複写機１０が設置されている場所に近いレストランについての広告を選択したり、現在時刻において利用できるレストランについての広告を選択したり、カラーコピーモードが設定されているときにカラー広告に基づく画像をプリントしたり、することができる。したがって、第２モードは、第１モードに比べて、ユーザの要望に一層合致した広告を選択できる。その結果、より的確な広告をコピーに付加でき、ユーザにとっては、自分のニーズに合致した情報を取り出すことができる。
【００４３】
キーワードに基づいて、または、キーワードおよび補足情報に基づいて広告を検索する手法は、データベースシステムなどで一般的な手法が用いられる。
【００４４】
キーワードを決定できなかった場合には（Ｓ１２：ＮＯ）、制御部１６は、キーワードに関連しない特定広告を選択し、記憶部１５から、特定広告を呼び出す（Ｓ１７）。
【００４５】
既に広告が付加された原稿が再度コピーされる場合がある。制御部１６は、画像データに広告に関するデータが既に含まれているか否かを判断する（図３、Ｓ１８）。広告は、その一部分に、コード番号やバーコードなどからなる識別符号を含んでいる。この識別符号は、上記のステップＳ１０において文字認識され得る。制御部１６は、認識した文字列に識別符号が含まれるか否かを判断する。識別符号が含まれている場合には、広告を既に含む原稿であると判断し（Ｓ１８：ＹＥＳ）、識別符号が含まれていない場合には、広告を含まない原稿であると判断する（Ｓ１８：ＮＯ）。
【００４６】
広告を含まない原稿の場合には（Ｓ１８：ＮＯ）、制御部１６は、選択した広告と画像データとを合成する処理を実行する（Ｓ２３）。
【００４７】
広告を既に含む原稿の場合には（Ｓ１８：ＹＥＳ）、制御部１６は、当該広告の識別符号を記憶部１５に記憶する。ステップＳ１４、Ｓ１６およびＳ１７においても、制御部１６は、選択した広告の識別符号を記憶部１５に記憶する。
【００４８】
制御部１６は、選択した広告と、既に含まれている広告とが異なるか否かを判断する（Ｓ１９）。この判断は、選択した広告の識別符号と、原稿に既に含まれている広告の識別符号とを比較することにより行う。
【００４９】
同じである場合には（Ｓ１９：ＮＯ）、既に含まれている広告を、選択した広告に差し替える必要がない。このため、制御部１６は、選択した情報と画像データとを合成する処理を行うことなく、ステップＳ２２に進む。
【００５０】
異なる場合には（Ｓ１９：ＹＥＳ）、制御部１６は、既に含まれている広告を、選択した広告に差し替え（Ｓ２０）、新たな画像を作成する（Ｓ２１）。
【００５１】
そして、制御部１６は、ステップＳ２３において合成したデータ、または、ステップＳ２１において作成した新たな画像データを、プリント部１２に出力する（Ｓ２２）。
【００５２】
制御部１６における処理が終了した後、プリント部１２は、制御部１６から出力されたデータに基づく画像をプリントする。これにより、広告を付加する一連のコピー処理が完了する。
【００５３】
ステップＳ２３の合成処理を、図４のフローチャート、図５および図６を参照して説明する。図５および図６は、原稿２０、２３の一例および広告付加モード時の当該原稿２０、２３のコピー２０ａ、２３ａ、２３ｂが示される。
【００５４】
制御部１６は、原稿を読み取った画像データに基づいて、原稿に余白があるか否かを判断し（Ｓ３０）、余白がある場合には（Ｓ３０：ＹＥＳ）、選択した広告のサイズを余白のサイズにあわせてスケーリングし、広告と画像データとを合成する（Ｓ３１）。
【００５５】
余白がない場合には（Ｓ３０：ＮＯ）、制御部１６は、両面プリントが可能であるか否かを判断する（Ｓ３２）。両面コピーモードが選択されていない場合には、制御部１６は、両面プリントが可能であると判断し（Ｓ３２：ＹＥＳ）、画像データに基づく画像をプリントする用紙の裏面に広告に基づく画像をプリントするためのデータを合成する。両面コピーモードが選択されている場合には、制御部１６は、両面プリントが可能でないと判断し（Ｓ３２：ＮＯ）、画像データを縮小したり、所定の方向にシフトしたりすることによって強制的に余白を作る（Ｓ３３）。その後、制御部１６は、選択した広告のサイズを、強制的に作った余白のサイズにあわせてスケーリングし、広告と画像データとを合成する（Ｓ３１）。
【００５６】
図５（Ａ）に示すように、原稿２０は、下方部分に余白２１がもともとある。当該原稿２０のコピー２０ａは、同図（Ｂ）に示すように、余白に広告２２に基づく画像がプリントされる。
【００５７】
図６（Ａ）に示すように、余白がない原稿２３の場合、両面プリントが可能であれば、当該原稿２３のコピー２３ａは、同図（Ｂ）に示すように、１枚の用紙の表面に原稿２３の画像がプリントされ、裏面に広告２４に基づく画像がプリントされる。両面プリントが不可能であれば、当該原稿２３のコピー２３ｂは、同図（Ｃ）に示すように、強制的に作った余白に、広告２４に基づく画像がプリントされる。したがって、原稿２０、２３の記載量に制限されることなく、広告２２、２４をコピーに付加することができる。
【００５８】
広告に基づく画像を印刷する位置は、用紙の既存の余白、用紙の裏面、強制的に作った余白に限定されない。例えば、画像データに基づく画像をプリントする用紙とは異なる用紙に広告に基づく画像をプリントすることも可能である。
【００５９】
図７に、既に広告が付加された原稿の一例および広告付加モード時の当該原稿のコピーが示される。
【００６０】
図７（Ａ）に示すように、この原稿２５は、既に広告が付加された原稿であり、図５（Ｂ）のコピー２０ａに相当するものである。上述した図３のステップＳ１９における判断の結果、選択した広告２７と、既に含まれている広告２６とが異なる場合を例に挙げる。この場合には、当該原稿２５のコピー２５ａは、同図（Ｂ）に示すように、既に含まれている広告２６が選択した広告２７に差し替えられ、当該広告２７に基づく画像がプリントされる。
【００６１】
以上説明したように、第１の実施の形態の複写機１０は、ユーザが広告付加モードを選択した場合には、原稿を読み取った画像データに含まれる文字列を認識し、認識した文字列からキーワードを決定し、決定したキーワードさらには補足情報に基づいて広告を選択し、画像データおよび選択した広告に基づく画像をプリントしている。原稿の記載内容を認識して決定したキーワードに基づくため、ユーザの志向を分析でき、ユーザの要望に合致した適切な広告を迅速に選択して、当該広告をコピーに自動的に付加することができる。その結果、ユーザにとっては付加された広告の価値が大きく、広告主にとっても十分な広告効果を得ることができ、この複写機１０は、ユーザおよび情報提供者の双方に大きな利点を与え得る。
【００６２】
また、既に広告が付加された原稿２５を再度コピーする場合に、広告をさらに付加すると、広告ばかりが目立ってコピーが見苦しくなる。第１の実施の形態ではこの点を考慮し、既に付加された広告２６と差し替える形態で選択された広告２７を付加するため、コピーが見苦しくなる虞はない。しかも、ユーザは、最新の広告２７を取得するができ、非常に有意義なものとなる。
【００６３】
（第２の実施の形態）
第２の実施の形態は、複写機と、当該複写機に接続される情報処理装置とを有する複写システムに本発明を適用した点で、スタンドアロンの複写機１０を例に挙げた第１の実施の形態と相違する。
【００６４】
図８は、複写システム３０を示す構成図である。
【００６５】
複写システム３０は、複写機３１とサーバ３２、４２とがネットワーク３３、４１を介して相互に接続されている。ネットワーク３３には、パソコン３４、スキャナ３５、プリンタ３６、ファクシミリ３７およびゲートウェイ３８も接続されている。このネットワーク３３は、ゲートウェイ３８を介してインターネット３９に接続され、インターネット３９を経由して、ゲートウェイ４０に接続されたネットワーク４１との間で相互に通信可能である。ネットワーク４１には、少なくともサーバ４２が接続されている。サーバ４２に広告などの情報が記憶され、当該サーバ４２が情報処理装置として機能する場合を例に挙げて説明する。
【００６６】
第２の実施の形態における複写機３１は、複写機１０と同様に、読み取り部１１と、プリント部１２と、操作パネル部１３と、表示部１４と、記憶部１５と、制御部１６と、タイマ１７と、を有する。複写機３１はさらに、ネットワーク３３、４１に接続された他の装置との間でデータの授受を行う通信部を有する。複写機３１の制御部１６は、読み取り部１１から出力された画像データに含まれる文字列を認識し、認識した文字列からキーワードを決定する。記憶部１５は、複数のキーワードを記憶し、さらに、広告のうちキーワードに関連しない特定広告のみを記憶する。
【００６７】
サーバ４２は、ＣＰＵを主体とする制御部と、ネットワーク３３、４１に接続された他の装置との間でデータの授受を行う通信部と、記憶部と、を有する。サーバ４２の制御部には、通信部を経由して、複写機３１から転送されたキーワードが入力される。制御部は、キーワードに基づいて情報としての広告を選択する。記憶部は、キーワードと関連付けられた複数の広告と、キーワードおよび補足情報と関連付けられた複数の広告と、を記憶する。
【００６８】
図９および図１０に示すフローチャートを参照して、複写システム３０における複写機３１の制御部の作用を説明する。
【００６９】
図示する処理は、ユーザが広告付加モードを選択した場合に実行される。複写機３１の読み取り部１１が原稿を読み取って画像データを出力すると、制御部１６は、出力された画像データに含まれる文字列を認識し（Ｓ４０）、キーワードを決定する（Ｓ４１）。キーワードを決定できた場合には（Ｓ４２：ＹＥＳ）、制御部１６は、サーバ４２に対する問い合わせ処理を実行する（Ｓ４３）。キーワードを決定できなかった場合には（Ｓ４２：ＮＯ）、問い合わせ処理は実行されない。制御部１６は、特定広告を選択し、記憶部１５から、特定広告を呼び出す（Ｓ４５）。
【００７０】
サーバ４２に対する問い合わせ処理（Ｓ４３）において、制御部１６は、決定したキーワードおよび抽出した補足情報を、通信部を経由して、サーバ４２に出力する。この場合の補足情報には、ユーザが第１モードまたは第２モードのいずれを選択したかのデータも含まれる。さらに、制御部１６は、サーバ４２から転送された広告を、通信部を経由して、受信する。
【００７１】
広告の受信が完了すると（Ｓ４４：ＹＥＳ）、制御部１６は、画像データに広告が既に含まれているか否かを判断する（図１０、Ｓ４６）。この後のステップＳ４７〜Ｓ５１では、図３に示したステップＳ１９〜Ｓ２３と同様の処理が実行される。
【００７２】
図１１に示すフローチャートを参照して、複写システム３０におけるサーバ４２の制御部の作用を説明する。
【００７３】
サーバ４２の制御部は、複写機３１から問い合わせ要求があると（Ｓ６０：ＹＥＳ）、通信部を経由して、複写機３１から出力されたキーワードおよび補足情報を受信する（Ｓ６１）。
【００７４】
第１モードが選択されている旨のデータが補足情報に含まれる場合には（Ｓ６２：ＹＥＳ）、制御部は、キーワードに基づいて広告を選択し、記憶部から、キーワードが合致する広告を呼び出す（Ｓ６３）。第２モードが選択されている旨のデータが補足情報に含まれる場合には（Ｓ６２：ＮＯ）、制御部は、キーワードおよび補足情報に基づいて広告を選択し、記憶部から、キーワードおよび補足情報が合致する広告を呼び出す（Ｓ６５）。そして、制御部は、選択した広告を、通信部を経由して、複写機３１に転送する（Ｓ６４）。
【００７５】
サーバ３２を情報処理装置として機能させてもよく、この場合にも、同様の手順により複写処理される。
【００７６】
第２の実施の形態の複写システム３０は、第１の実施の形態と同様に、原稿の記載内容を認識して決定したキーワードに基づくため、ユーザの志向を分析でき、ユーザの要望に合致した適切な広告を迅速に選択して、当該広告をコピーに自動的に付加することができる。その結果、ユーザにとっては付加された広告の価値が大きく、広告主にとっても十分な広告効果を得ることができ、この複写システム３０は、ユーザおよび情報提供者の双方に大きな利点を与え得る。
【００７７】
本発明は、前述の実施態様の具体例にのみ限定されるものではなく、本発明の技術的概念から逸脱することなく、種々様々な変更あるいは修正を実施することができるものである。例えば、次のような変更あるいは修正が考えられる。
【００７８】
コピーの開始から広告の選択までに要する時間が長くなりすぎると、ユーザは、待ち時間が長くなって、不快感を感じる。そこで、例えばキーワードを決定した時点（Ｓ１２：ＹＥＳ）やサーバ４２への問い合わせ処理を開始する時点（Ｓ４３）でタイマ１７をスタートし、経過時間を計測する。経過時間が設定時間（数秒）に達すると、タイムオーバとなり、広告の選択作業（Ｓ１３〜Ｓ１６またはＳ６２、Ｓ６３、Ｓ６５）を中止する。複写機１０、３１の制御部１６は、記憶部１５に記憶されている特定広告を選択し（Ｓ１７またはＳ４５）、その後の処理を行う。このようにすれば、ユーザの待ち時間を制限でき、ユーザが不快感を感じることを回避できる。
【００７９】
文字認識（Ｓ１０またはＳ４０）を開始するタイミングは、原稿の全ての読み取りが完了する前でもよい。この場合、複写機１０、３１の制御部１６およびサーバ４２の制御部は、原稿の一部分に相当する画像データに含まれる文字列を認識する。ここに、「原稿の一部分」は、１枚の原稿の所定範囲（例えば、原稿サイズの半分）という意味と、複数枚数からなる原稿のうちの任意の枚数分という意味との両者を含んでいる。このようにすれば、原稿の一部分の読み取りが終わると同時に、文字認識（Ｓ１０またはＳ４０）を開始でき、原稿の残りの部分の読み取り作業と、キーワードの決定作業（Ｓ１１またはＳ４１）とを並行して実行できる。その結果、ユーザの待ち時間が短くなり、広告付加モードであっても応答性を高めることができる。
【００８０】
広告料金を広告主に課金するためには、それぞれの広告に基づく画像がどれぐらいプリントされたかを把握する必要がある。このため、プリントした回数を広告ごとにカウントし、記録しておくとよい。複写システム３０では、サーバ４２が転送した回数を広告ごとにカウントし、記録してもよい。
【００８１】
複写システム３０は、複写機３１とサーバ３２、４２とをネットワーク３３、４１を介して接続した複写システム３０を示したが、複写機と情報処理装置とをローカル接続した複写システムとすることもできる。
【００８２】
複写機３１が決定したキーワードに基づいてサーバ４２が広告を選択する複写システム３０を示したが、次のように改変してもよい。つまり、複写システム上の情報処理装置が、複写機から転送された画像データを文字認識し、キーワードを決定し、情報を選択し、選択した情報を複写機に転送する形態でもよい。この場合の複写機は、原稿を読み取って画像データを出力する機能と、画像データに基づく画像および情報処理装置が選択した情報に基づく画像をプリントする機能と、情報処理装置との間で相互に通信を行う機能とを有していればよい。
【００８３】
記憶部に予め保存されている情報を使用する形態を示したが、管理者が、情報を記憶したフレキシブルディスクやＣＤ−ＲＯＭなどを用いて複写機１０に保存されている情報を更新したり、ネットワークなどを介してサーバ４２にダウンロードしたりしてもよい。
【００８４】
また、複写処理方法がプログラム化されたコードデータが記憶されているプログラムおよび当該プログラムが記憶されている記憶媒体を提供することで、既存の複写機を本発明に係る複写機として機能させることも可能である。プログラムは、フレキシブルディスクやＣＤ−ＲＯＭなどの記憶媒体で提供され、複写機に内蔵されたコンピュータにインストールすることで、実行される。
【００８５】
【発明の効果】
以上説明した本発明によれば、請求項ごとに以下のような効果を奏する。
【００８６】
請求項１〜５に記載の複写機によれば、原稿の記載内容を認識して決定したキーワードに基づいて、ユーザの要望に合致した適切な広告などの情報を迅速に選択して、当該情報を複写物に自動的に付加することができ、その結果、ユーザおよび情報提供者の双方に大きな利点を与え得る。
【００８７】
さらに、請求項１によれば、キーワードおよび補足情報に基づいて情報を選択するため、ユーザの要望に一層合致した情報を選択でき、より的確な情報を複写物に付加することができる。
【００８８】
また、請求項２によれば、キーワードが決定されなかった場合でも、特定情報を複写物に付加することができる。
【００８９】
請求項６に記載の複写機によれば、既に情報が付加された原稿を再度コピーする場合に、付加された情報ばかりが目立って複写物が見苦しくなる虞がなく、しかも、既に付加された情報を選択した情報に差し替えた画像をプリントするため、ユーザは、最新の情報を取得するができる。
【００９０】
請求項７に記載の複写機によれば、原稿の一部分の読み取りが終わると同時に文字列の認識を開始することができ、原稿の残りの部分の読み取り作業と、キーワードを決定する作業とを並行して実行でき、ユーザの待ち時間を短くすることができる。
【００９１】
請求項８〜１０に記載の複写機によれば、画像データに基づく画像をプリントする用紙の裏面、画像データに基づく画像をプリントする用紙とは異なる用紙、既存のまたは強制的に作った余白に情報に基づく画像をプリントでき、原稿の記載量に制限されることなく、情報を複写物に付加することができる。
【００９２】
請求項１１〜１５に記載の複写システムによれば、請求項１、２に記載の発明と同様に、ユーザの要望に合致した適切な情報を迅速に選択して、当該情報を複写物に自動的に付加することができ、ユーザおよび情報提供者の双方に大きな利点を与え得る。さらに、請求項１１、１３によれば、キーワードおよび補足情報に基づいて情報を選択するため、ユーザの要望に一層合致した情報を選択でき、より的確な情報を複写物に付加することができる。また、請求項１２、１４によれば、キーワードが決定されなかった場合でも、特定情報を複写物に付加することができる。
【００９３】
請求項１６、１７に記載の複写処理方法によれば、ユーザの要望に合致した適切な情報を迅速に選択して、当該情報を複写物に自動的に付加することができ、ユーザおよび情報提供者の双方に大きな利点を与え得る。さらに、請求項１６によれば、キーワードおよび補足情報に基づいて情報を選択するため、ユーザの要望に一層合致した情報を選択でき、より的確な情報を複写物に付加することができる。また、請求項１７によれば、キーワードが決定されなかった場合でも、特定情報を複写物に付加することができる。
【００９４】
請求項１８、１９に記載の複写処理プログラムによれば、このプログラムをコンピュータに実行させることで、ユーザの要望に合致した適切な情報を迅速に選択して、当該情報を複写物に自動的に付加することができ、ユーザおよび情報提供者の双方に大きな利点を与え得る。さらに、請求項１８によれば、キーワードおよび補足情報に基づいて情報を選択するため、ユーザの要望に一層合致した情報を選択でき、より的確な情報を複写物に付加することができる。また、請求項１９によれば、キーワードが決定されなかった場合でも、特定情報を複写物に付加することができる。
【００９５】
請求項２０、２１に記載の複写処理プログラムを記録したコンピュータ読取り可能な記録媒体によれば、この記録媒体に記憶されたプログラムをコンピュータにより読み取って実行することで、ユーザの要望に合致した適切な情報を迅速に選択して、当該情報を複写物に自動的に付加することができ、ユーザおよび情報提供者の双方に大きな利点を与え得る。さらに、請求項２０によれば、キーワードおよび補足情報に基づいて情報を選択するため、ユーザの要望に一層合致した情報を選択でき、より的確な情報を複写物に付加することができる。また、請求項２１によれば、キーワードが決定されなかった場合でも、特定情報を複写物に付加することができる。
【図面の簡単な説明】
【図１】  第１の実施の形態に係る複写機の概略構成を示すブロック図である。
【図２】  複写機の制御部の作用を説明するフローチャートである。
【図３】  複写機の制御部の作用を説明するフローチャートである。
【図４】  合成処理の手順を示すフローチャートである。
【図５】  図５（Ａ）は原稿の一例を示す図、図５（Ｂ）はユーザが広告を付加するコピーモードを選択した場合における当該原稿のコピーの一例を示す図である。
【図６】  図６（Ａ）は原稿の一例を示す図、図６（Ｂ）（Ｃ）はユーザが広告を付加するコピーモードを選択した場合における当該原稿のコピーの一例を示す図である。
【図７】  図７（Ａ）は既に広告が付加された原稿の一例を示す図、図７（Ｂ）はユーザが広告を付加するコピーモードを選択した場合における当該原稿のコピーの一例を示す図である。
【図８】  第２の実施の形態に係る複写システムを示す構成図である。
【図９】  複写システムにおける複写機の制御部の作用を説明するフローチャートである。
【図１０】  複写システムにおける複写機の制御部の作用を説明するフローチャートである。
【図１１】  複写システムにおける情報処理装置としてのサーバの制御部の作用を説明するフローチャートである。
【符号の説明】
１０…複写機
１１…読み取り部
１２…プリント部
１５…記憶部（第１、第２、第３、第４記憶部）
１６…制御部（文字認識部、決定部、選択部、抽出部、識別部、判定部、作成部、合成部）
２０、２３、２５…原稿
２０、２３ａ、２３ｂ、２５ａ…コピー
２１…余白
２２、２４、２６、２７…広告（情報）
３０…複写システム
３１…複写機
３２、４２…サーバ（情報処理装置）
３３、４１…ネットワーク
【図１】
0004278882.tif 000002
【図２】
0004278882.tif 000003
【図３】
0004278882.tif 000004
【図４】
0004278882.tif 000005
【図５】
0004278882.tif 000006
【図６】
0004278882.tif 000007
【図７】
0004278882.tif 000008
【図８】
0004278882.tif 000009
【図９】
0004278882.tif 000010
【図１０】
0004278882.tif 000011
【図１１】
0004278882.tif 000012